(57)【要約】【課題】基準光源を用いずに外光センサの校正を行うことができる技術を提供する。【解決手段】本発明の画像表示装置は、外光を検出する外光センサを有する画像表示装置であって、前記外光センサの検出値に基づいて、前記外光センサの校正を行う校正手段を有し、前記画像表示装置の画面から発せられた光を前記外光センサへ導く導光部材が、前記画像表示装置に対して着脱可能であり、前記導光部材が前記画像表示装置に装着されているときに、前記外光センサは、前記画面から発せられた光を前記外光として検出し、前記校正手段は、前記導光部材が前記画像表示装置に装着されているときの前記外光センサの検出値に基づいて、前記外光センサの校正を行う。【選択図】図１
2016061876.tif 000002
【特許請求の範囲】
【請求項１】
外光を検出する外光センサを有する画像表示装置であって、
前記外光センサの検出値に基づいて、前記外光センサの校正を行う校正手段を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正手段は、前記導光部材が前記画像表示装置に装着されているときの前記外光センサの検出値に基づいて、前記外光センサの校正を行う
ことを特徴とする画像表示装置。
【請求項２】
基準光の値が予め定められており、
前記画像表示装置は、
画像データに基づく画像を画面に表示する表示手段と、
前記導光部材が前記画像表示装置に装着されているときに、前記基準光が前記導光部材によって前記外光センサへ導かれるように、前記画面の少なくとも一部の領域から前記基準光が発せられる画像表示を前記表示手段に行わせる表示制御手段と、
をさらに有し、
前記校正手段は、前記導光部材が前記画像表示装置に装着されているときの前記外光センサの検出値と、前記基準光の値と、に基づいて、前記外光センサの校正を行う
ことを特徴とする請求項１に記載の画像表示装置。
【請求項３】
複数の基準光のそれぞれの値が予め定められており、
前記表示制御手段は、前記導光部材が前記画像表示装置に装着されているときに、前記画面の少なくとも一部の領域から前記複数の基準光が順番に発せられる画像表示を前記表示手段に行わせ、
前記校正手段は、前記複数の基準光を前記外光センサが検出することによって得られた複数の検出値と、前記複数の基準光のそれぞれの値と、に基づいて、前記外光センサの校正を行う
ことを特徴とする請求項２に記載の画像表示装置。
【請求項４】
前記画像表示装置の動作モードとして、通常モードと校正モードとを含む複数の動作モードのいずれかが設定可能であり、
前記画像表示装置は、前記通常モードが設定されているときに、前記外光センサの検出値に基づく画像処理を表示対象の画像データに施す画像処理手段をさらに有し、
前記校正手段は、前記校正モードが設定されているときに、前記外光センサの校正を行う
ことを特徴とする請求項１〜３のいずれか１項に記載の画像表示装置。
【請求項５】
前記導光部材が前記画像表示装置に装着されているか否かを判断する判断手段と、
前記導光部材が前記画像表示装置に装着されていないと判断された場合に前記通常モードを設定し、前記導光部材が前記画像表示装置に装着されていると判断された場合に前記校正モードを設定する設定手段と、
をさらに有する
ことを特徴とする請求項４に記載の画像表示装置。
【請求項６】
前記外光センサの校正は、前記外光センサの検出値を補正する補正データを生成または更新する処理である
ことを特徴とする請求項１〜５のいずれか１項に記載の画像表示装置。
【請求項７】
前記外光センサの検出値は、前記外光の輝度と色度の少なくとも一方を表す
ことを特徴とする請求項１〜６のいずれか１項に記載の画像表示装置。
【請求項８】
外光を検出する外光センサを有する画像表示装置と共に使用可能な校正装置であって、
前記外光センサの検出値を取得する取得手段と、
前記外光センサの検出値に基づいて、前記外光センサの校正を行う校正手段と、
を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正手段は、前記導光部材が前記画像表示装置に装着されているときの前記外光センサの検出値に基づいて、前記外光センサの校正を行う
ことを特徴とする校正装置。
【請求項９】
光が入射する入射部と、
入射部に入射した光を出射する出射部と、
を有する導光部材であって、
前記導光部材は、外光を検出する外光センサを有する画像表示装置に対して着脱可能であり、
前記導光部材が前記画像表示装置に装着されているときに、前記導光部材は、前記画像表示装置の画面から発せられた光を前記外光センサへ導く
ことを特徴とする導光部材。
【請求項１０】
前記導光部材が前記画像表示装置に装着されているときに、前記入射部は前記画像表示装置の画面に対向し、
前記導光部材が前記画像表示装置に装着されているときに、前記出射部は前記外光センサに対向する
ことを特徴とする請求項９に記載の導光部材。
【請求項１１】
前記導光部材が前記画像表示装置に装着されているときに前記画面から発せられた光が通る貫通孔をさらに有する
ことを特徴とする請求項９または１０に記載の導光部材。
【請求項１２】
前記導光部材が前記画像表示装置に装着されているときに前記画面から発せられた光を反射する１つ以上のミラーをさらに有する
ことを特徴とする請求項９または１０に記載の導光部材。
【請求項１３】
前記導光部材は、光ファイバーである
ことを特徴とする請求項９または１０に記載の導光部材。
【請求項１４】
外光を検出する外光センサを有する画像表示装置の制御方法であって、
前記外光センサの検出値を取得する取得ステップと、
前記外光センサの検出値に基づいて、前記外光センサの校正を行う校正ステップと、
を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正ステップでは、前記導光部材が前記画像表示装置に装着されているときの前記外光センサの検出値に基づいて、前記外光センサの校正を行う
ことを特徴とする画像表示装置の制御方法。
【請求項１５】
外光を検出する外光センサを有する画像表示装置と共に使用可能な校正装置の制御方法であって、
前記外光センサの検出値を取得する取得ステップと、
前記外光センサの検出値に基づいて、前記外光センサの校正を行う校正ステップと、
を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正ステップでは、前記導光部材が前記画像表示装置に装着されているときの前記外光センサの検出値に基づいて、前記外光センサの校正を行う
ことを特徴とする校正装置の制御方法。
【請求項１６】
請求項１４に記載の画像表示装置の制御方法の各ステップをコンピュータに実行させることを特徴とするプログラム。
【請求項１７】
請求項１５に記載の校正装置の制御方法の各ステップをコンピュータに実行させることを特徴とするプログラム。
【発明の詳細な説明】
【技術分野】
【０００１】
本発明は、画像表示装置、校正装置、導光部材、画像表示装置の制御方法、校正装置の制御方法、及び、プログラムに関する。
【背景技術】
【０００２】
外光センサを有する画像表示装置がある。このような画像表示装置では、例えば、外光センサの検出値（外光の輝度と色度の少なくとも一方を表す値）に基づく画像処理が、表示対象の画像データに施され、補正後の画像データに基づく画像が画面に表示される。上記画像処理を行うことにより、画像表示装置の設置環境に依らず好適な画質の画像を表示することができる。
【０００３】
しかしながら、画像表示装置には、外光センサの検出特性（外光の値と外光センサの検出値との対応関係）の個体差がある。
例えば、画像表示装置に外光センサを取り付ける際に、取り付け精度に依存して検出特性が変化することにより、上記個体差が生じることがある。具体的には、外光センサの取り付け位置が変化した場合に、外光センサに入射する光の量が変化し、検出特性が変化する。その結果、上記個体差が生じてしまう。
また、外光センサを製造する際に、製造精度に依存した個体差が生じることがある。
そのため、外光の値を高精度に表す検出値を得るためには、外光センサの校正を行う必要がある。
【０００４】
従来、外光センサの校正は、基準光源と測光センサを用いて工場出荷前に行われていた。具体的には、基準光源からの光が測光センサによって測定され、測光センサの測定値（基準光源からの光の輝度と色度の少なくとも一方を表す値）に基づいて外光センサの検出値の目標値が決定される。そして、基準光源からの光が外光センサによって検出され、外光センサの検出値と上記目標値とに基づいて外光センサの校正が行われる。基準光源としては、例えば、ハロゲンランプが使用される。測光センサとしては、例えば、測定値の確度、繰り返し精度、等が保障された高精度な測光センサが使用される。
【０００５】
輝度と色度が安定した光が基準光源から発せられるまでには、所定の時間を要する。
また、測光センサの測定値が安定し、且つ、光の値を高精度に表す測定値が取得可能となるまでにも、所定の時間を要する。
したがって、上記目標値を決定する際には、基準光源や測光センサが安定するまで十分にエージングを行った後に、測光センサを用いて基準光源からの光を測定する必要がある。
【０００６】
しかしながら、工場出荷後にも、外光センサの検出特性が変化することがある。例えば、外光センサの劣化によって検出特性が変化することがある。また、工場出荷後に、外光センサが故障することもある。
センサの故障を検出する技術は、例えば、特許文献１に開示されている。特許文献１には、画像表示装置に内蔵された輝度センサの故障を検出する技術が開示されている。
【０００７】
外光センサの検出特性が変化した場合には、外光センサの校正を行う必要がある。
また、外光センサが故障した場合には、外光センサの交換が必要となる。上述したように、画像表示装置に外光センサを取り付ける際に外光センサの検出特性が変化することがある。そのため、外光センサが故障した場合にも、外光センサの校正が必要となることが
ある。
【０００８】
従来の方法では、工場以外の場所（画像表示装置の使用現場、サービス拠点、等）で外光センサの校正を行う場合にも、発光特性が安定した基準光源と測光センサが必要となる。そのため、従来の方法では、外光センサの校正を速やかに開始するために、複数の基準光源に対して、発光特性を安定化させる安定化処理を予め施しておく必要がある。また、外光センサの校正を速やかに開始するために、複数の測光センサに対して、測光センサの測定値を安定化させる安定化処理を予め施しておく必要がある。例えば、サービス拠点毎に、発光特性が安定化した基準光源と測光センサを用いて、外光センサの検出値の目標値を決定する場合には、サービス拠点毎に、基準光源と測光センサの安定化処理を行う必要がある。
また、従来の方法では、画像表示装置の電源だけでなく、基準光源の電源が必要となる。工場以外の場所（特に、住居）では、基準光源の電源を容易に確保できないことがある。
このように、従来の方法では、外光センサの校正を開始するための作業が煩雑且つ困難である。
そのため、従来の方法では、工場以外の場所で外光センサの校正を行うことは困難である。
【先行技術文献】
【特許文献】
【０００９】
【特許文献１】特開２０１２−３７５４０号公報
【発明の概要】
【発明が解決しようとする課題】
【００１０】
本発明は、基準光源を用いずに外光センサの校正を行うことができる技術を提供することを目的とする。
【課題を解決するための手段】
【００１１】
本発明の第１の態様は、
外光を検出する外光センサを有する画像表示装置であって、
前記外光センサの検出値に基づいて、前記外光センサの校正を行う校正手段を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正手段は、前記導光部材が前記画像表示装置に装着されているときの前記外光センサの検出値に基づいて、前記外光センサの校正を行う
ことを特徴とする画像表示装置である。
【００１２】
本発明の第２の態様は、
外光を検出する外光センサを有する画像表示装置と共に使用可能な校正装置であって、
前記外光センサの検出値を取得する取得手段と、
前記外光センサの検出値に基づいて、前記外光センサの校正を行う校正手段と、
を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正手段は、前記導光部材が前記画像表示装置に装着されているときの前記外光セ
ンサの検出値に基づいて、前記外光センサの校正を行う
ことを特徴とする校正装置である。
【００１３】
本発明の第３の態様は、
光が入射する入射部と、
入射部に入射した光を出射する出射部と、
を有する導光部材であって、
前記導光部材は、外光を検出する外光センサを有する画像表示装置に対して着脱可能であり、
前記導光部材が前記画像表示装置に装着されているときに、前記導光部材は、前記画像表示装置の画面から発せられた光を前記外光センサへ導く
ことを特徴とする導光部材である。
【００１４】
本発明の第４の態様は、
外光を検出する外光センサを有する画像表示装置の制御方法であって、
前記外光センサの検出値を取得する取得ステップと、
前記外光センサの検出値に基づいて、前記外光センサの校正を行う校正ステップと、
を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正ステップでは、前記導光部材が前記画像表示装置に装着されているときの前記外光センサの検出値に基づいて、前記外光センサの校正を行う
ことを特徴とする画像表示装置の制御方法である。
【００１５】
本発明の第５の態様は、
外光を検出する外光センサを有する画像表示装置と共に使用可能な校正装置の制御方法であって、
前記外光センサの検出値を取得する取得ステップと、
前記外光センサの検出値に基づいて、前記外光センサの校正を行う校正ステップと、
を有し、
前記画像表示装置の画面から発せられた光を前記外光センサへ導く導光部材が、前記画像表示装置に対して着脱可能であり、
前記導光部材が前記画像表示装置に装着されているときに、前記外光センサは、前記画面から発せられた光を前記外光として検出し、
前記校正ステップでは、前記導光部材が前記画像表示装置に装着されているときの前記外光センサの検出値に基づいて、前記外光センサの校正を行う
ことを特徴とする校正装置の制御方法である。
【００１６】
本発明の第６の態様は、上述した画像表示装置の制御方法の各ステップをコンピュータに実行させることを特徴とするプログラムである。
本発明の第７の態様は、上述した校正装置の制御方法の各ステップをコンピュータに実行させることを特徴とするプログラムである。
【発明の効果】
【００１７】
本発明によれば、基準光源を用いずに外光センサの校正を行うことができる。
【図面の簡単な説明】
【００１８】
【図１】実施例１に係る画像表示装置の構成の一例
【図２】実施例１に係る画像表示装置、測光センサ、及び、導光部材の配置の一例
【図３】実施例１に係る外光センサの校正の方法の一例
【図４】実施例１に係る補正データの一例
【図５】実施例２に係る導光部材の構成の一例
【図６】実施例３に係る導光部材の構成の一例
【発明を実施するための形態】
【００１９】
＜実施例１＞
以下、本発明の実施例１に係る画像表示装置、校正装置、導光部材、画像表示装置の制御方法、及び、校正装置の制御方法について説明する。
なお、本実施例では画像表示装置が校正装置の機能を有する場合の例を説明するが、校正装置は画像表示装置とは別体の装置であってもよい。本実施例に係る校正装置は、外光センサを有する画像表示装置と共に使用可能な校正装置であれば、どのような装置であってもよい。
【００２０】
図１は、本実施例に係る画像表示装置の構成の一例を示すブロック図である。図１には、本実施例に係る導光部材と測光センサも示されている。
図１に示すように、本実施例に係る画像表示装置１００は、表示部１０１、外光センサ１０２、制御部１０３、等を有する。
また、図１に示すように、導光部材１０４と測光センサ１０５が、画像表示装置１００に対して着脱可能（あるいは、設置及び撤去が可能）である。
【００２１】
表示部１０１は、画像データに基づく画像を画面に表示する。例えば、表示部１０１は、画像表示装置１００が有する不図示の入力部に入力された画像データに基づく画像を画面に表示する。また、表示部１０１は、画像表示装置１００の内部で生成された画像データに基づく画像を画面に表示する。表示部１０１としては、液晶表示パネル、有機ＥＬ表示パネル（ＯＬＥＤパネル）、プラズマ表示パネル、等を使用することができる。
【００２２】
外光センサ１０２は、外光を検出し、検出した外光を表す検出値を制御部１０３に出力する。具体的には、外光センサ１０２は、外光の輝度と色度の少なくとも一方を検出する。そして、外光センサ１０２は、外光の輝度と色度の少なくとも一方を表す値を、検出値として出力する。検出値のフォーマットは特に限定されないが、例えば、外光センサ１０２からは、検出値として、ＲＧＢ値が出力される。外光センサ１０２としては、例えば、Ａ／Ｄ変換器を有するフォトセンサを使用することができる。このようなフォトセンサでは、フォトセンサに入射した光がアナログ値に変換される。そして、得られたアナログ信号にＡ／Ｄ変換が施され、検出値としてデジタル値が取得される。
【００２３】
制御部１０３は、例えば、マイクロコンピュータチップ、メモリー、及び、周辺回路で構成されている。
制御部１０３は、以下の機能を有する。
・画像表示装置１００の動作モードを設定する機能
・画像表示を表示部１０１に行わせる機能（表示制御処理）
・外光センサ１０２の検出値を取得する機能（本実施例に係る校正装置の第１の機能）
・外光センサ１０２の検出値に基づいて、外光センサの校正を行う機能（本実施例に係る校正装置の第２の機能）
・外光センサ１０２の検出値に基づく画像処理を表示対象の画像データ（例えば、上述した入力画像データ）に施す機能
なお、制御部１０３の上記４つの機能の少なくともいずれかは、制御部１０３以外の機能部が有していてもよい。
【００２４】
本実施例では、動作モードとして、通常モードと校正モードを含む複数の動作モードのいずれかが設定可能である。
通常モードは、通常使用時に設定される動作モードである。制御部１０３は、通常モードが設定されているときに、外光センサ１０２の検出値に基づく画像処理を表示対象の画像データに施す。そして、表示部１０１は、画像処理後の画像データに基づく画像を画面に表示する。外光センサ１０２の検出値に基づく画像処理では、外光センサ１０２の検出値に基づいて、表示対象の画像データの画質が補正される。具体的には、外光センサ１０２の検出値に基づいて、表示対象の画像データの輝度や色度が補正される。それにより、画像表示装置１００の設置環境に依らず好適な画質の画像を表示することができる。
校正モードは、外光センサ１０２の校正を行う際に設定される動作モードである。制御部１０３は、校正モードが設定されているときに、外光センサ１０２の校正を行う。外光センサ１０２の校正は、例えば、外光センサ１０２の検出値を補正する補正データを生成または更新する処理である。
【００２５】
なお、動作モードの設定方法は特に限定されない。例えば、画像表示装置１００に対するユーザ操作に応じて動作モードが設定されてもよい。また、画像表示装置１００が、導光部材１０４が画像表示装置１００に装着されているか否かを判断する判断部を有していてもよい。そして、導光部材１０４が画像表示装置１００に装着されていないと判断された場合に通常モードが設定され、導光部材１０４が画像表示装置１００に装着されていると判断された場合に校正モードが設定されてもよい。判断部としては、例えば、導光部材１０４が画像表示装置１００に装着されることによって押下されるスイッチを用いることができる。
【００２６】
導光部材１０４が画像表示装置１００に装着されているときに、導光部材１０４は、画面から発せられた光を外光センサ１０２（外光センサ１０２の受光面）に導く。そのため、導光部材１０４が画像表示装置１００に装着されているときに、外光センサ１０２は、画面から発せられた光（画面光）を外光として検出し、画面光を表す検出値を出力する。導光部材１０４は、外光センサ１０２の校正を行う際に、画像表示装置１００に装着される。そして、制御部１０３は、導光部材１０４が画像表示装置１００に装着されているときの外光センサ１０２の検出値に基づいて、外光センサ１０２の校正を行う。
【００２７】
測光センサ１０５が画像表示装置１００に装着（あるいは設置）されているときに、測光センサ１０５は、画面光を測定する。具体的には、測光センサ１０５は、画面光の輝度と色度の少なくとも一方を測定する。測光センサ１０５としては、例えば、非接触型の測光センサ、接触型の測光センサ、等を使用することができる。非接触型の測光センサとしては、例えば、分光放射タイプの測光センサ、フィルタータイプの測光センサ、等がある。接触型の測光センサとしては、例えば、フィルタータイプの測光センサがある。本実施例では、測光センサ１０５は、画面から発せられる光として基準光を得ることができる表示設定値（画素値）を決定する際に使用される。表示部１０１が液晶表示パネルである場合には、表示設定値として、画素値とバックライトの発光輝度との組み合わせが決定されてもよい。基準光は、例えば、従来の基準光源からの光と同等の光である。
【００２８】
詳細は後述するが、本実施例では、基準光の値（外光センサ１０２の検出値の目標値；センサ目標値）が予め定められている。そして、制御部１０３は、導光部材１０４が画像表示装置１００に装着されているときに、基準光が導光部材１０４によって外光センサ１０２へ導かれるように、画面の少なくとも一部の領域から基準光が発せられる画像表示を表示部１０１に行わせる。その後、制御部１０３は、導光部材１０４が画像表示装置１００に装着されているときの外光センサ１０２の検出値と、基準光の値と、に基づいて、外光センサ１０２の校正を行う。
具体的には、本実施例では、複数の基準光のそれぞれの値（センサ目標値）が予め定め
られている。そして、制御部１０３は、導光部材１０４が画像表示装置１００に装着されているときに、画面の少なくとも一部の領域から複数の基準光が順番に発せられる画像表示を表示部１０１に行わせる。その後、制御部１０３は、複数の基準光を外光センサ１０２が検出することによって得られた複数の検出値と、複数のセンサ目標値と、に基づいて、外光センサ１０２の校正を行う。
【００２９】
図２（ａ）は、画像表示装置１００と測光センサ１０５の配置の一例を示す正面図である。図２（ｂ）は、画像表示装置１００と導光部材１０４の配置の一例を示す正面図である。図２（ｃ）は、導光部材１０４の構成の一例を示す側面図である。図２（ａ）では、測光センサ１０５が画像表示装置１００に装着（あるいは設置）されており、図２（ｂ），２（ｃ）では、導光部材１０４が画像表示装置１００に装着されている。“正面図”は、部材を画像表示装置１００の正面から見た図であり、“側面図”は、部材を画像表示装置１００の側面から見た図である。
【００３０】
図２（ａ）に示すように、測光センサ１０５は、測光センサ１０５の受光面が画面と対向するように、画面上に配置される。
【００３１】
図２（ｃ）に示すように、導光部材１０４は、光が入射する入射部と、入射部に入射した光を出射する出射部と、を有する。
そして、図２（ｂ），２（ｃ）に示すように、導光部材１０４は、画面光が入射部に入射し、且つ、出射部から出射された光が外光センサ１０２の受光面に入射するように、画像表示装置１００に装着される。換言すれば、導光部材１０４は、入射部が画面に対向し、且つ、出射部が外光センサ１０２（外光センサ１０２の受光面）に対向するように、画像表示装置１００に装着される。
【００３２】
本実施例では、図２（ｃ）に示すように、導光部材１０４として、中空構造を有する部材が使用される。具体的には、導光部材１０４として、導光部材１０４が画像表示装置１００に装着されているときに画面光が通る貫通孔を有する部材が使用される。
【００３３】
なお、導光部材１０４の作成方法は特に限定されない。例えば、１つの部材を加工することによって導光部材１０４が作成されてもよい。部材の加工として、例えば、曲げ加工、切削加工、接着、等が行われる。また、複数の部材を組み合わせることによって導光部材１０４が作成されてもよい。例えば、接着剤を用いて複数の板状部材を接着することによって、導光部材１０４が作成されてもよい。
なお、入射部に入射した光が効率よく出射部から出射されるように、導光部材１０４の内面（貫通孔側の面）に、光の反射率を高める表面処理が施されていることが好ましい。例えば、導光部材１０４の内面が、白色に塗装されていることが好ましい。
なお、出射部から出射された光とは異なる光が外光センサ１０２の受光面に照射されることを抑制するために、出射部側の貫通孔の大きさ（導光部材１０４の内径）は、外光センサ１０２の受光面よりも大きいことが好ましい。
【００３４】
なお、導光部材１０４は、入射部に入射する光と、外光センサ１０２の受光面に照射される光と、が外光の影響を受けないように、画像表示装置１００に装着されることが好ましい。例えば、導光部材１０４を画像表示装置１００に装着した際に導光部材１０４と画像表示装置１００に挟まれる柔軟性部材が、入射部と出射部に設けられていてもよい。柔軟性部材としては、例えば、フェルト製の部材を使用することができる。また、入射部と画像表示装置１００の間隔、及び、出射部と画像表示装置１００の間隔が、閾値以下となるように、導光部材１０４が画像表示装置１００に装着されてもよい。
【００３５】
なお、測光センサ１０５が測定する光を発する領域（画面内の領域；画面領域）は、導
光部材１０４の入射面に対向する画面領域と等しいことが好ましい。但し、画面から発せられる光が画面内で均一である場合には、測光センサ１０５が測定する光を発する画面領域が、導光部材１０４の入射面に対向する画面領域と異なっていてもよい。具体的には、画面上の輝度（表示輝度）や画面上の色度（表示色度）が画面内で均一である場合には、測光センサ１０５が測定する光を発する画面領域が、導光部材１０４の入射面に対向する画面領域と異なっていてもよい。
【００３６】
なお、図２（ｃ）に示す導光部材１０４の代わりに、図２（ｄ）に示す導光部材１０４が使用されてもよい。図２（ｄ）に示す導光部材１０４は、非中空構造を有し、且つ、透明度が高い部材である。透明度が高い導光部材１０４としては、例えば、アクリル製の部材を使用することができる。図２（ｄ）に示す導光部材１０４は、入射部である入射面と、出射部である出射面と、を有する。そして、入射面と出射面以外の面に、導光部材１０４内からの光の漏れ、及び、導光部材１０４内への光の入射を抑制する表面処理が施されている。表面処理としては、塗装を施す処理、凹凸を設ける処理、等が行われる。
【００３７】
本実施例に係る校正方法（外光センサ１０２の校正の方法）の一例について、図３のフローチャートを用いて説明する。図３のＳ３０１〜Ｓ３０４の処理は、例えば、画像表示装置１００を製造する工場などで予め実施される。図３のＳ３０５〜Ｓ３０９の処理は、外光センサ１０２の校正を行う際に実施される。
【００３８】
Ｓ３０１の処理の前に、測光センサ１０５が画像表示装置１００に装着（あるいは設置）される。
そして、制御部１０３が、第１画面領域全体に渡って設定候補値の画像表示を行うためのコマンド（指示）を、表示部１０１に送信する（Ｓ３０１）。それにより、第１画面領域全体に渡って設定候補値の画像表示が行われる。設定候補値は、上述した表示設定値（画素値、バックライトの発光輝度、等）の候補である。第１画面領域は、測光センサ１０５の受光面と対向する画面領域を少なくとも含む画面領域である。設定候補値は、例えば、制御部１０３によって設定される。
【００３９】
次に、測光センサ１０５が、画面からの光を測定する（Ｓ３０２）。上述したように、第１画面領域は、測光センサ１０５の受光面と対向する画面領域を少なくとも含む画面領域である。そして、Ｓ３０１によって、第１画面領域全体に渡って設定候補値の画像表示が行われる。そのため、Ｓ３０２では、設定候補値で画面から発せられた光が測定される。測光センサ１０５の測定値は、制御部１０３に入力される。測定値のフォーマットは特に限定されないが、本実施例では、測光センサ１０５からは、測定値として、ＣＩＥ  ＸＹＺ表色系の値（ＸＹＺ三刺激値）が出力されるものとする。
【００４０】
そして、制御部１０３が、Ｓ３０２で得られた測定値が予め定められたセンサ目標値と一致するか否かを判断する（Ｓ３０３）。測定値がセンサ目標値と一致しないと判断された場合には（Ｓ３０３：ＮＯ）、Ｓ３０１に処理が戻され、測定値がセンサ目標値と一致すると判断されるまで、設定候補値を変えながらＳ３０１〜Ｓ３０３の処理が繰り返し行われる。そして、測定値がセンサ目標値と一致すると判断された場合には、Ｓ３０４に処理が進められる。
なお、測定値がセンサ目標値と完全に一致する場合にのみ、測定値がセンサ目標値と一致すると判断されてもよいし、測定値とセンサ目標値の差が閾値以下の場合に、測定値がセンサ目標値と一致すると判断されてもよい。
【００４１】
Ｓ３０４では、制御部１０３が、現在の設定候補値を、表示設定値として記憶する。
なお、画像表示装置１００が記憶部を有し、表示設定値が記憶部に記録されてもよい。
【００４２】
本実施例では、複数のセンサ目標値が予め定められており、センサ目標値毎にＳ３０１〜Ｓ３０４の処理が行われる。それにより、センサ目標値毎の表示設定値が得られる。具体的には、Ｄ６５の０，５０，１２５，２５０，３７５，５００，６２５［ｃｄ／ｍ２］を有する７個の光のそれぞれが基準光として予め定められており、７個の基準光のそれぞれの値がセンサ目標値として予め定められている。そして、７個のセンサ目標値のそれぞれについてＳ３０１〜Ｓ３０４の処理が行われる。それにより、７個のセンサ目標値にそれぞれ対応する７個の表示設定値が得られる。
全ての表示設定値が得られた後、測光センサ１０５は画像表示装置１００から取り外される。
【００４３】
次に、導光部材１０４が画像表示装置１００に装着される（Ｓ３０５）。画像表示装置１００に対する導光部材１０４や測光センサ１０５の着脱は、例えば、手動で行われる。
そして、制御部１０３が、第２画面領域全体に渡って表示設定値の画像表示を行うためのコマンドを、表示部１０１に送信する（Ｓ３０６）。それにより、第２画面領域全体に渡って表示設定値の画像表示が行われる。第２画面領域は、導光部材１０４の入射部と対向する画面領域を少なくとも含む画面領域である。
本実施例では、上記７個の表示設定値にそれぞれ対応する７個のコマンドが表示部１０１に順番に送信される。それにより、第２画面領域から上記７個の基準光が順番に発せられる画像表示が行われる。
【００４４】
そして、制御部１０３が、外光センサ１０２の検出値を外光センサ１０２から取得する（Ｓ３０７）。Ｓ３０７では、基準光を表す検出値が取得される。具体的には、表示設定値毎に、その表示設定値の画像表示が行われているときの外光センサの検出値が取得される。それにより、上記７個の基準光を表す７個の検出値が取得される。本実施例では、ＣＩＥ  ＸＹＺ表色系の値（ＸＹＺ三刺激値）が検出値として取得されるものとする。
なお、制御部１０３は、外光センサ１０２の１つの検出値を取得して使用してもよいし、そうでなくてもよい。例えば、制御部１０３は、外光センサ１０２の複数の検出値を取得し、取得した複数の検出値の平均値を使用してもよい。特に、低輝度の基準光を表す検出値として、上記平均値を使用することが好ましい。
【００４５】
次に、制御部１０３が、Ｓ３０７で得られた７個の検出値と、７個のセンサ目標値と、に基づいて、外光センサ１０２の検出値を補正する補正データを生成または更新する（Ｓ３０８）。本処理によって外光センサ１０２が校正される。補正データは、例えば、センサ目標値毎に、そのセンサ目標値に対応する補正前の検出値と補正後の検出値との対応関係を表すデータ（関数やテーブル）である。そのような補正データは、例えば、Ｓ３０７で得られた検出値にセンサ目標値を対応付けることによって生成することができる。
そして、制御部１０３が、Ｓ３０８で生成した補正データを記憶する（Ｓ３０９）。
なお、画像表示装置１００が記憶部を有し、補正データが記憶部に記録されてもよい。
Ｓ３０９の処理の後、導光部材１０４は画像表示装置１００から取り外される。
【００４６】
なお、基準光の数は７個より多くても少なくてもよい。
なお、本実施例では、Ｄ６５の光を基準光として使用する例を説明したが、これに限らない。例えば、Ｄ５０の光が基準光として使用されてもよい。また、Ｄ６５の光と、Ｄ５０の光と、の両方が基準光として使用されてもよい。Ｄ６５の光と、Ｄ５０の光と、の両方を基準光として使用すれば、より高精度な校正を行うことができる。
【００４７】
図４は、補正データの一例を示す。
図４の補正データは、補正前の検出値であるＹ値と、補正後の検出値であるＹ値と、の対応関係を表す。以後、補正前のＹ値を“Ｙａ値”と記載し、補正後のＹ値を“Ｙｂ値”と記載する。
本実施例では、通常モード時に、制御部１０３が、外光センサ１０２が外光を検出することによって得られたＹａ値を、補正データに入力する。補正データにＹａ値が入力されると、補正データからはＹｂ値が出力される。
例えば、Ｙａ値５０００はＹｂ値５０に変換され、Ｙａ値１２５００はＹｂ値１２５に変換される。また、補正データが表すＹａ値以外のＹａ値に対応するＹｂ値は、補正データが表す複数のＹａ値と複数のＹｂ値を用いた補間処理を行うことにより、取得される。例えば、Ｙａ値５０００とＹｂ値５０の組み合わせ、及び、Ｙａ値１２５００とＹｂ値１２５の組み合わせを用いた線形補間処理を行うことにより、Ｙａ値７５００に対応するＹｂ値７５が得られる。
そして、制御部は、補正データから出力されたＹｂ値に基づく画像処理を、表示対象の画像データに施す。それにより、画像表示装置１００の設置環境に依らず好適な画質の画像を表示することができる。
【００４８】
このようなＹ値の補正（変換）を行う際に、補正データが表す対応関係が誤っていると、外光のＹ値と大きく異なるＹｂ値が得られてしまう。その結果、好適な画質の画像が表示されなくなってしまうことがある。
本実施例では、図３のＳ３０５〜Ｓ３０９の処理を行うことにより、補正データが表す対応関係を正確な対応関係に戻す（近づける）ことができる。その結果、通常モード時に、外光のＹ値と等しい（略等しい）Ｙｂ値を得ることができ、好適な画質の画像を表示することができる。
【００４９】
なお、本実施例では、補正前のＹ値と補正後のＹ値との対応関係を表す補正データを生成する例を説明したが、補正データはこれに限らない。例えば、補正前のＸＹＺ三刺激値と補正後のＸＹＺ三刺激値との対応関係を表す補正データが生成されてもよいし、補正前の分光値と補正後の分光値との対応関係を表す補正データが生成されてもよい。また、補正前の検出値に乗算する補正係数、補正前の検出値に加算する補正値、等を表す補正データが生成されてもよい。
【００５０】
以上述べたように、本実施例によれば、基準光源から発せられた光の代わりに画面光を用いて外光センサの校正が行われる。それにより、基準光源を用いずに外光センサの校正を行うことができる。その結果、外光センサの校正を行う場所に依らず、外光センサの校正を開始するための作業を容易に行うことができ、外光センサの校正を容易に行うことができる。例えば、工場以外の場所でも、外光センサの校正を開始するための作業を容易に行うことができ、外光センサの校正を容易に行うことができる。
【００５１】
＜実施例２＞
以下、本発明の実施例２に係る導光部材について説明する。
なお、実施例１と同様の構成や機能については説明を省略する。
【００５２】
本実施例に係る導光部材１０４は、導光部材１０４が画像表示装置１００に装着されているときに画面光を反射する１つ以上のミラーを有する。
図５は、本実施例に係る導光部材１０４の構成の一例を示す図である。図５の例では、導光部材１０４が画像表示装置１００に装着されている。図５の導光部材１０４は、２つのミラー５０１ａ，５０１ｂを有する。
本実施例では、図５に示すように、導光部材１０４が画像表示装置１００に装着されているときに、画面光が、２つのミラー５０１ａ，５０１ｂで反射し、外光センサ１０２（外光センサ１０２の受光面）に導かれる。
なお、図５には２つのミラーを有する導光部材の例を示したが、ミラーの数は２つより多くても少なくてもよい。導光部材は、導光部材１０４が画像表示装置１００に装着されているときに画面光を外光センサ１０２に向けて反射する１つのミラーを有していてもよ
い。例えば、導光部材は、非平面の反射面を有する１つのミラーを有していてもよい。
【００５３】
本実施例に係る導光部材を用いた場合においても、実施例１と同様の作用効果を得ることができる。
【００５４】
＜実施例３＞
以下、本発明の実施例３に係る導光部材について説明する。
なお、実施例１と同様の構成や機能については説明を省略する。
【００５５】
図６は、本実施例に係る導光部材１０４の構成の一例を示す図である。図６の例では、導光部材１０４が画像表示装置１００に装着されている。
図６に示すように、本実施例に係る導光部材１０４は、光ファイバー６０１である。
そして、本実施例では、図６に示すように、光ファイバー６０１が画像表示装置１００に装着されているときに、光ファイバー６０１の一端（入射部）が画面と対向し、光ファイバー６０１の他端（出射部）が外光センサ１０２と対向する。そして、光ファイバー６０１の一端に画面光が入射され、光ファイバー６０１の他端から外光センサ１０２（外光センサ１０２の受光面）へ向かって光が出射される。即ち、本実施例では、光ファイバー６０１が画像表示装置１００に装着されているときに、画面光が、光ファイバー６０１の内部を通って、外光センサ１０２（外光センサ１０２の受光面）に導かれる。
【００５６】
本実施例に係る導光部材を用いた場合においても、実施例１と同様の作用効果を得ることができる。
【００５７】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００５８】
１００：画像表示装置  １０２：外光センサ  １０３：制御部  １０４：導光部材
【図１】
2016061876.tif 000003
【図２】
2016061876.tif 000004
【図３】
2016061876.tif 000005
【図４】
2016061876.tif 000006
【図５】
2016061876.tif 000007
【図６】
2016061876.tif 000008